(57)【特許請求の範囲】
【請求項１】
間隔を変化させる第１レンズ群と第２レンズ群の間に位置し、該第１、第２レンズ群の外周部と内周部との間の漏光を防止するレンズ鏡筒の遮光装置であって、
第１レンズ群と一緒に光軸方向に移動する第１レンズ群筒；
第２レンズ群を保持する第２レンズ保持体；
上記第１レンズ群筒の内周に摺接する遮光部材を有し、第２レンズ保持体からは離反し第１レンズ群に対しては接近する方向に移動付勢された第１の遮光筒；
上記第２レンズ保持体に固定され、この第１の遮光筒の第２レンズ群に対する最大離反位置を規制するとともに、第１の遮光筒の後方を遮光する第２の遮光筒；及び
先端部に、第１の遮光筒の遮光部材より前方に位置する外方遮光フランジを備え、第２レンズ保持体からは離反し第１レンズ群に対しては接近する方向に移動付勢された第３の遮光筒；
を備えたことを特徴とするレンズ鏡筒の遮光装置。
【請求項２】
請求項１記載の遮光装置において、第１の遮光筒の後端部と第２の遮光筒の先端部とにはそれぞれ、互いに係合可能な内方フランジと外方フランジが形成されているレンズ鏡筒の遮光装置。
【請求項３】
請求項１または２記載の遮光装置において、第３の遮光筒の後端部には、第２の遮光筒より小径で、該第３の遮光部材を付勢するばね手段を嵌合させるばね保持筒状部が形成されているレンズ鏡筒の遮光装置。
【請求項４】
請求項１ないし３のいずれか１項記載の遮光装置において、第１レンズ群筒の後端側の一部は、第１、第２レンズ群が接近したときに、光軸と平行な方向において第２レンズ保持体の外周と重なる位置に収納されるレンズ鏡筒の遮光装置。
【請求項５】
請求項１ないし４のいずれか１項記載の遮光装置において、第２レンズ保持体は、第２レンズ群を光軸方向に駆動するシャッタブロックであるレンズ鏡筒の遮光装置。
【請求項６】
請求項１ないし５のいずれか１項記載の遮光装置において、遮光部材は、植毛であるレンズ鏡筒の遮光装置。
【発明の詳細な説明】
【０００１】
【技術分野】
本発明は、レンズ鏡筒の遮光装置に関する。
【０００２】
【従来技術及びその問題点】
一対のレンズ群（レンズ枠）の間隔がズーミングに応じて変化するズームレンズ鏡筒においては、この一対のレンズ群間を遮光するために、複数の異径の遮光環からなる多段式の遮光装置を用いて、これらの遮光環の互いに重畳量を変化させている。図５にその一例を示す。このズームレンズ鏡筒１００は、対物側の第１レンズ群１０１が先端の先端鏡筒１０２と一体に移動され、第２レンズ群１０３は、鏡筒１０２の後方の中間繰出筒１０４に形成したカムの案内を受けて第１レンズ群Ｌ１に対して光軸前後に相対移動する。レンズ群１０１、１０２の間には、互いに異径の遮光環１０５〜１０９が配され、それぞれの遮光環は径方向の内方フランジと外方フランジによって互いの最大離間位置を規制し、かつ接近方向への力をフランジの係合により付与している。このタイプの遮光装置では、前後のレンズ群の相対移動量が大きい場合には、対応するストローク量を得るために、遮光環の段数を増やすのが一般的である。しかし、段数が増えると遮光装置が径方向に大型化し、また各遮光環の隙間から漏光するおそれも多くなる。また、各遮光環相互の移動力伝達が径方向のフランジの係脱によって行われているが、フランジの係脱による移動力伝達は、遮光環同士をがたつきなく係合させるのが難しく、高い遮光性を得るのが困難である。
【０００３】
【発明の目的】
本発明は、小型で、レンズ群間の確実な遮光が可能なレンズ鏡筒の遮光装置を得ることを目的とする。
【０００４】
【発明の概要】
本発明は、間隔を変化させる第１レンズ群と第２レンズ群の間に位置し、該第１、第２レンズ群の外周部と内周部との間の漏光を防止するレンズ鏡筒の遮光装置に関し、第１レンズ群と一緒に光軸方向に移動する第１レンズ群筒；第２レンズ群を保持する第２レンズ保持体；上記第１レンズ群筒の内周に摺接する遮光部材を有し、第２レンズ保持体からは離反し第１レンズ群に対しては接近する方向に移動付勢された第１レンズ群筒の内周に摺接；上記第２レンズ保持体に固定され、この第１の遮光筒の第２レンズ群に対する最大離反位置を規制するとともに、第１の遮光筒の後方を遮光する第２の遮光筒；及び先端部に、第１の遮光筒の遮光部材より前方に位置する外方遮光フランジを備え、第２レンズ保持体からは離反し第１レンズ群に対しては接近する方向に移動付勢された第３の遮光筒；を備えたことを特徴としている。
【０００５】
この遮光装置において、第１の遮光筒の後端部と第２の遮光筒の先端部とにはそれぞれ、互いに係合可能な内方フランジと外方フランジが形成されていることが好ましい。
【０００６】
また、第３の遮光筒の後端部には、第２の遮光筒より小径で、該第３の遮光部材を付勢するばね手段を嵌合させるばね保持筒状部が形成されていることが好ましい。
【０００７】
さらに、第１レンズ群筒の後端側の一部は、第１、第２レンズ群が接近したときに、光軸と平行な方向において第２レンズ保持体の外周と重なる位置に収納されること望ましい。
【０００８】
第２レンズ保持体は、第２レンズ群を光軸方向に駆動するシャッタブロックとすることができる。さらに、第１の遮光筒に配され、第１レンズ群筒の内周に摺接する遮光部材は植毛であることが好ましい。
【０００９】
【発明の実施の形態】
ズームレンズカメラ５は、カメラボディ９とズームレンズ鏡筒１０を備えていて、第１レンズ群Ｌ１、第２レンズ群Ｌ２及び第３レンズ群Ｌ３のそれぞれに後述する所定の動きを行わせてズーミングを行う。まず、このズームレンズ鏡筒１０の全体的な構成及び動作を、図１から図４を参照して説明する。
【００１０】
カメラボディ９内部にはアパーチャ板１１が固定され、このアパーチャ板１１の光軸Ｏ側の縁部が、フィルムへの露光領域を決定するアパーチャ１１ａを形成している。アパーチャ板１１の前部には、固定鏡筒１３がカメラボディ９に固定されている。この固定鏡筒１３の内周面には、雌ヘリコイド１４が形成されており、固定鏡筒１３の内周面にはさらに、光軸Ｏに平行な複数（３本）の直進案内溝１５が形成されている。
【００１１】
固定鏡筒１３には光軸Ｏと平行な方向へ切欠部１３ａが形成されていて、この切欠部１３ａにズームギヤ１６が取り付けられる。ズームギヤ１６は、光軸Ｏと平行な回動中心で回動可能に支持され、そのピニオン部の歯面が上記の切欠部１３ａから固定鏡筒１３の内側に突出されている。カメラボディ内にはズームモータＭが設置されており、このズームモータＭの駆動軸の回転は、ズームギヤ列８を介してズームギヤ１６に伝達される。
【００１２】
固定鏡筒１３の雌ヘリコイド１４には、第１外筒１７の外周面の後端付近に形成された雄ヘリコイド１８が螺合されている。雄ヘリコイド１８の光軸方向の幅は、第１外筒１７の最大繰出時に外観に露出しない程度に形成されている。この第１外筒１７にはさらに、雄ヘリコイド１８が形成された同一周面上に、雄ヘリコイド１８と平行な複数の外周ギヤ部１９が設けられている。それぞれの外周ギヤ部１９の歯は光軸Ｏと平行な方向に形成されており、これに上記ズームギヤ１６が噛合している。さらに、第１外筒１７の内周面には、光軸Ｏと平行な方向に３本の回転伝達溝１７ａが形成されている（図中には一つのみを示す）。
【００１３】
第１外筒１７の内部には、第１直進案内環２０が配設されている。この第１直進案内環２０は、後端付近の外周面に、周方向へ平行な一対のフランジ部２１ａ、２１ｂが半径方向外方に突設されており、この一対のフランジ部２１ａ、２１ｂに挟まれる部分が、光軸Ｏを中心とする環状溝２１ｃとなっている。一方、第１外筒１７の内周面の後端部には、周方向に位置を異ならせて、半径方向内方（光軸Ｏ側）へ複数の係合爪２３（図中には一つのみを示す）が突設されている。それぞれの係合爪２３の厚みは、第１直進案内環２０に形成した環状溝２１ｃに対して光軸Ｏと平行な方向にはガタなく嵌まり、かつ周方向に摺動可能な程度となっている。よって、係合爪２３を環状溝２１ｃに係合させれば、第１外筒１７と第１直進案内環２０は、光軸方向には相対移動不能かつ相対回転可能に結合される。
【００１４】
また第１直進案内環２０の後端には、周方向に位置を異ならせて、半径方向外方に複数（３つ）の直進案内突起２４が突設されている。それぞれの直進案内突起２４は、固定鏡筒１３の内周面に形成した複数（３本）の直進案内溝１５にそれぞれ摺動可能に係合している。従って、第１直進案内環２０は、光軸方向には第１外筒１７と一体に移動されるが、光軸Ｏを中心とする周方向には、固定鏡筒１３に対する相対回転が規制されている。つまり直進案内されている。
【００１５】
以上の第１外筒１７と第１直進案内環２０がズームレンズ鏡筒１０の第１繰出段部を構成する。この第１繰出段部は、ズームモータＭによってズームギヤ１６が所定のレンズ繰出方向に回転されると、外周ギヤ部１９を介して第１外筒１７が回転され、雌ヘリコイド１４と雄ヘリコイド１８の関係によって固定鏡筒１３から第１外筒１７が回転しながら繰り出される。同時に、第１直進案内環２０と第１外筒１７は相対回転可能に爪係合されているため、第１直進案内環２０は、固定鏡筒１３に対して直進案内されながら第１外筒１７と共に光軸方向に移動する。
【００１６】
第１直進案内環２０の内周面には、上記雌ヘリコイド１４と同傾斜方向の雌ヘリコイド２７が形成されている。第１直進案内環２０の内周面にはさらに、光軸Ｏと平行な複数（３本）の直進案内溝２８が周方向に位置を異ならせて形成されている。
【００１７】
第１直進案内環２０の内部には、雌ヘリコイド２７に螺合する雄ヘリコイド２９を外周面に有する駆動カム環３０が配設される。雄ヘリコイド２９は、この駆動カム環３０の外周面全体に形成されている。また、駆動カム環３０の内周面全体には、雄ヘリコイド２９と逆傾斜方向の雌ヘリコイド３１が形成されている。この駆動カム環３０の内周面の後端部には、周方向に位置を異ならせて、半径方向内方（光軸Ｏ側）へ複数の係合爪３２（図中には一つのみを示す）が突設されている。
【００１８】
駆動カム環３０の内部には、第２直進案内環３３が配設されている。この第２直進案内環３３は、後端付近の外周面に、周方向へ平行な一対のフランジ部３４ａ、３４ｂが半径方向外方に突設されており、この一対のフランジ部３４ａ、３４ｂに挟まれる部分が、光軸Ｏを中心とする環状溝３４ｃとなっている。上記駆動カム環３０の内周面に突設した複数の係合爪３２を、環状溝３４ｃに嵌めることにより、駆動カム環３０と第２直進案内環３３は、光軸方向には相対移動不能かつ相対回転可能に結合される。
【００１９】
また第２直進案内環３３の後端には、周方向に位置を異ならせて、半径方向外方に突出する複数（３つ）の直進案内突起３６が半径方向外方へ突設されている。それぞれの直進案内突起３６は、第１直進案内環２０の内周面に形成した複数（３本）の直進案内溝２８にそれぞれ摺動可能に係合している。従って、第２直進案内環３３は、光軸方向には駆動カム環３０と相対移動不能で、第１直進案内環２０を介して固定鏡筒１３に対して直進案内されている。
【００２０】
第２外筒４０は、駆動カム環３０の外周を覆って第１外筒１７と第１直進案内環２０の間に位置しており、後端付近の外周面に突設した複数（３つ）の回転伝達突起４１を、第１外筒１７の内周面に形成した光軸Ｏと平行な方向の複数（３本）の回転伝達溝１７ａに摺動可能に係合させている。従って、第２外筒４０は、第１外筒１７に対しては、相対回転せず、かつ光軸Ｏと平行な方向には相対移動自在に案内されている。
【００２１】
駆動カム環３０の前端部には、３箇所の切欠部３８を有するリブ３７が突設されている。第２外筒４０は、内周面の前端側に、この&nbsp;切欠部３８に嵌合可能な３つの係合爪３９が、周方向に位置を異ならせて半径方向内方に突設されている。この係合爪３９と切欠部３８を係合させ、さらに化粧リング４２を前端部に取り付けることによって、駆動カム環３０と第２外筒４０は、光軸方向へ相対移動せずかつ相対回転しないように一体に結合される。従って、第２外筒４０は第１外筒１７に従って回転し、駆動カム環３０に回転力を与える。
【００２２】
以上の駆動カム環３０、第２直進案内環３３及び第２外筒４０が、ズームレンズ鏡筒１０の第２繰出段部を構成する。第１繰出段部を構成する第１外筒１７が回転して固定鏡筒１３より繰り出されると、回転伝達溝１７ａと回転伝達突起４１の関係によって、第１外筒１７と共に第２外筒４０が回転される。第２外筒４０の回転を受ける駆動カム環３０は、雌ヘリコイド２７と雄ヘリコイド２９の関係により、固定鏡筒１３に対しては第１外筒１７の回転方向と同方向に回転しながら、第２外筒４０と共に第１直進案内環２０から繰り出される。同時に、第２直進案内環３３は、駆動カム環３０と相対回転可能に結合されているため、直進案内突起３６と直進案内溝２８の関係によって第１直進案内環２０に直進案内されつつ、駆動カム環３０と共に光軸方向に移動する。
【００２３】
駆動カム環３０の内側には、第３外筒４５が配設されている。第３外筒４５の内側には、前述の第２直進案内環３３が位置している。第２直進案内環３３の外周面には、光軸Ｏと平行に複数の直進案内溝３３ａが形成されている。一方、第３外筒４５の内周面には、上記直進案内溝３３ａに係合する複数のガイドレール４５ａが形成されている。第３外筒４５に設けたガイドレール４５ａは、それぞれが第２直進案内環３３に設けた直進案内溝３３ａに摺動可能に係合し、これらを係合させることによって、第３外筒４５は、第２直進案内環３３に対して光軸Ｏと平行な方向に相対移動可能に直進案内される。
【００２４】
第３外筒４５の後部外周面には、駆動カム環３０の内周面に設けた雌ヘリコイド３１と螺合する、雄ヘリコイド４６が形成されている。駆動カム環３０が繰出回転を行うと第３外筒４５に回転力が加えられるが、第３外筒４５は第２直進案内環３３によって直進案内されている。そのため第３外筒４５は、駆動カム環３０の繰出回転時にはこれと一体に回転せず、雄ヘリコイド４６と雌ヘリコイド３１の関係によって、固定鏡筒１３に対して光軸Ｏと平行な方向に直進しつつ駆動カム環３０から繰り出される。つまり、第３外筒４５は、レンズ鏡筒の第３繰出段部を構成しており、雄ヘリコイド４６の光軸方向の幅は、第３外筒４５の最大繰出時に外観に露出しない程度に設定されている。
【００２５】
第２直進案内環３３には、周面の一部を切除して、３本の２群用スリット５０が光軸Ｏと平行な直線状に形成され、さらに、この２群用スリット５０に対して斜行する３本の３群用貫通カム溝５１が形成されている。また、駆動カム環３０の内周面には、後述の所定形状を有する３本の２群案内カム溝５２が形成されている。さらに、第３外筒４５の内周面には、３つの３群用外側カム溝５３が形成されている。
【００２６】
第３外筒４５の内部には１群レンズ枠４７が固定されており、この１群レンズ枠４７に第１レンズ群Ｌ１が保持されている。従って、第１レンズ群Ｌ１は第３外筒４５と共に移動する。
【００２７】
２群ユニット４８は、第２レンズ群Ｌ２を保持する２群レンズ枠４８ａと、この２群レンズ枠４８ａが固定されるシャッタブロック（第２レンズ保持体）５４とからなっており、シャッタブロック５４の後端には３つのスライド板５５が後方に延設されている。それぞれのスライド板５５は、第２直進案内環３３に形成した２群用スリット５０にスライド自在に案内されている。さらに３つのスライド板５５のそれぞれには半径方向外方に２群カムフォロワ５６が突設され、各２群カムフォロワ５６が駆動カム環３０に形成した２群案内カム溝５２に係合している。従って、駆動カム環３０が回転すると、２群ユニット４８は、２群案内カム溝５２の軌跡に応じて光軸方向に所定の移動を行う。
【００２８】
本実施形態のズームレンズカメラ５は、フォーカシング用のモータを独立に設けておらず、有限段数で検出される各焦点距離範囲において、鏡筒全体を繰出または収納方向に動作させると、第２レンズ群Ｌ２が近接から無限遠までの被写体距離に対応する移動位置に移動されてフォーカシングを行うような形状に２群案内カム溝５２が形成されている。しかしながら、本発明において第２レンズ群の駆動機構は、これに限定されるものではない。要は、レンズ群Ｌ１、Ｌ２に光軸と平行な方向への相対移動が生じればよい。
【００２９】
３群ユニット４９は、第３レンズ群Ｌ３が３群支持環４９ａに保持された構成となっており、３群支持環４９ａは、前方へ突出する３つの延出板５７を有している。それぞれの延出板５７には半径方向外方へ突出する３群カムフォロワ５８が設けられていて、この３群カムフォロワ５８は前述の３群用貫通カム溝５１を貫通して３群用外側カム溝５３に係合される。この構造により、ズームレンズ鏡筒１０が繰出または収納動作を行ったときには、３群用貫通カム溝５１と３群用外側カム溝５３の合成軌跡によって３群カムフォロワ５８が案内され、３群ユニット４９は光軸方向に所定の移動を行う。
【００３０】
２群ユニット４８と３群ユニット４９の間には、バックラッシュ除去用の圧縮ばね５９が配されていて、２群ユニット４８は光軸方向前方に、３群ユニット４９は光軸方向後方にそれぞれ移動付勢されている。
【００３１】
以上のズームレンズ鏡筒１０は、次のように動作する。図１の収納状態あるいは図２のワイド端からズームモータＭが繰出方向に駆動されると、固定鏡筒１３から第１外筒１７が回転して繰り出され、第１直進案内環２０は、固定鏡筒１３に直進案内されながら第１外筒１７と共に前方へ移動する。すると、第２外筒４０と共に駆動カム環３０が第１外筒１７の回転方向と同方向に回転しながら、第１直進案内環２０から繰り出される。同時に、第２直進案内環３３が駆動カム環３０と共に光軸方向に直進移動し、第２直進案内環３３に直進案内された第３外筒４５が、駆動カム環３０の回転を受けて光軸前方に移動し、該第３外筒４５に固定された第１レンズ群Ｌ１が光軸前方へ移動される。このとき、前述したカムの案内構造によって、第２レンズ群Ｌ２及び第３レンズ群Ｌ３は光軸方向に所定の相対移動を行いつつ、全体として光軸前方に移動される。図３のテレ端からズームモータＭを収納方向に駆動させると、ズームレンズ鏡筒１０は以上とは逆の動作を行う。このように、３段の繰出部からなるズームレンズ鏡筒１０は、第１レンズ群Ｌ１、第２レンズ群Ｌ２及び第３レンズ群Ｌ３のフィルム面に対する距離変化と、各レンズ群の相対的接離移動との複合動作によりズーミングを行う。
【００３２】
次に、第１レンズ群Ｌ１と第２レンズ群Ｌ２の間の遮光装置について説明する。第３外筒４５には、その前端付近の内周に半径方向内方へ内方固定フランジ４５ｂが延設され、この内方固定フランジ４５ｂに第１レンズ群筒７１の前端部が固定されている。よって、第１レンズ群筒７１は、第１レンズ群Ｌ１と共に光軸と平行な方向へ移動する。光軸と平行な方向への第１レンズ群筒７１の筒状部の長さは、第１レンズ群Ｌ１と第２レンズ群が最も離間した状態（図３）での該レンズ群Ｌ１、Ｌ２の間隔より若干短く、レンズ群Ｌ１、Ｌ２の相対距離が近づいた状態（図１、図２）でのレンズ群間隔より長い。第１レンズ群筒７１は、レンズ群Ｌ１、Ｌ２が接近した状態で、その後端側の一部がシャッタブロック５４と直進案内環３３の間、すなわちシャッタブロック５４の外周と重なる位置に収納されるように径方向位置が定められている。
【００３３】
この第１レンズ群筒７１の内側には、第１遮光筒７２が配されている。第１遮光筒７２は、外周面に突出する一対の保持リブ７３を有し、該一対の保持リブ７３の間に、保持リブ７３よりも外方に突出して第１レンズ群筒７１の内周面に摺接する植毛摺接部（遮光部材）７４が設けられている。後方側の保持リブ７３とシャッタブロック５４の間には、圧縮ばね７５が配されており、第１遮光筒７２を、シャッタブロック５４から離反する方向、すなわち前方に移動付勢している。また、第１遮光筒７２の後端には、半径方向内方への内方フランジ７６が形成されている。
【００３４】
シャッタブロック５４には、この第１遮光筒７２よりも内径側に、第２遮光筒７７が固定されている。第２遮光筒７７は、前端側に半径方向外方への外方フランジ７８を有しており、この外方フランジ７８を内方フランジ７６に係合することにより、第１遮光筒７２のシャッタブロック５４からの最大離反位置を規制する。
【００３５】
この遮光装置はさらに、第２遮光筒７７の前部に第３遮光筒８０を有している。第３遮光筒８０は、上記第１遮光筒７２よりも前方に位置するように半径方向外方へ突出された外方遮光フランジ８１を前端に有し、この外方遮光フランジ８１からは第１遮光筒７２の内周に沿って光軸後方に、撮影光軸Ｏを中心とする外側筒状部８２が延設され、外側筒状部８２の後端から半径方向内方に向けて、内方遮光フランジ８３が形成されている。外方遮光フランジ８１は、第１遮光筒７２よりも前方に位置することで、第１レンズ群Ｌ１から出射して植毛摺接部７４に至る直接光を遮ることができる。また内方遮光フランジ８３は、第１レンズ群Ｌ１の外周よりも半径方向内方、すなわち光軸Ｏに近く突出しており、第２レンズ群Ｌ２に入る光路周縁光（有害な内面反射光を含む）を遮断することができる。さらに内方遮光フランジ８３から光軸後方には、第２遮光筒７７より小径な内側筒状部（ばね保持筒状部）８４が延設されており、この内側筒状部８４に嵌合してシャッタブロック５４との間に位置する圧縮ばね８５によって、第３遮光筒８０はシャッタブロック５４から離反する方向、すなわち前方へ移動付勢されている。
【００３６】
ズームレンズ鏡筒１０が図１の収納位置にあるとき、前端部を第３外筒４５に固定された第１レンズ群筒７１は、１群レンズ枠４７と２群ユニット４８の間の空間を覆いつつ、その後端部がシャッタブロック５４の外周と重なる位置に延出される。第３外筒４５の内方固定フランジ４５ｂは、第３遮光筒８０の外方遮光フランジ８１に当接してこの第３遮光筒８０をシャッタブロック５４に近づく方向に押し込んでいる。外方遮光フランジ８１は第１遮光筒７２の前端に係合しており、第１遮光筒７２にもシャッタブロック５４に接近する方向への力が作用する。その結果、第３遮光筒８０は、圧縮ばね８５の付勢力に抗して、内方遮光フランジ８３が第２遮光筒７７の外方フランジ７８に隣接する付近までシャッタブロック５４に接近され、外側筒状部８２は、圧縮ばね７５の付勢力に抗して、後端の内方フランジ７６がシャッタブロック５４に隣接する付近まで該シャッタブロック５４に接近されている。このとき、第１レンズ群筒７１と第１遮光筒７２の間は植毛摺接部７４が遮光し、第１遮光筒７２の後方は第２遮光筒７７が遮光している。
【００３７】
ズームレンズ鏡筒１０が図２のワイド端まで繰り出されると、第１レンズ群Ｌ１と第２レンズ群Ｌ２は、図１のレンズ収納状態よりもわずかに離間される。すると、外方遮光フランジ８１を押圧する内方固定フランジ４５ｂが前方に変位するため、第３遮光筒８０は、シャッタブロック５４に対して若干前方へ移動可能になる。第３遮光筒８０が前方に移動されると、第１遮光筒７２も前方へ移動可能となる。よって、第３遮光筒８０と第１遮光筒７２は、圧縮ばね８５、７５の付勢力で、それぞれシャッタブロック５４に対して光軸前方に移動される。但し、収納位置からワイド端までのレンズ群Ｌ１、Ｌ２のレンズ間隔の変化は小さいため、外方遮光フランジ８１は内方固定フランジ４５ｂに当て付いたまま前方へ移動規制されており、第１レンズ群筒７１、第１遮光筒７２及び第３遮光筒８０の互いの光軸方向の重畳量は変化せずに維持される。
【００３８】
本ズームレンズカメラ５ではこのワイド端の焦点距離から撮影が可能となるが、第１レンズ群筒７１と第１遮光筒７２の間は植毛摺接部７４が遮光し、第１遮光筒７２の後方は第２遮光筒７７が遮光しているので、第１、第２レンズ群Ｌ１、Ｌ２の間に有害な外部光が入ることがなく、また反対に、第１レンズ群Ｌ１の出射光が第２レンズ群Ｌ２を通らずに、２群ユニット４８及び３群ユニット４９の外周側に漏光してフィルム面に到達してしまうことを防止できる。本遮光装置ではさらに、第３遮光筒８０の外方遮光フランジ８１が、第１レンズ群筒７１と第１遮光筒７２の摺接部分への直接光の到達を防ぎ、また外側筒状部８２や内方遮光フランジ８３によっても、第１遮光筒７２と第２遮光筒７７の間への直接光の到達を防いでいるので、より良好な遮光性を得ることができる。また、前述の通り、第３遮光筒８０の内方遮光フランジ８３が不要な光路周縁光を遮光している。
【００３９】
図２のワイド端から図３のテレ端側へ鏡筒が繰り出されると、第１レンズ群Ｌ１と第２レンズ群Ｌ２が次第に離間する。この離間動作の初期において、第１遮光筒７２と第３遮光筒８０はそれぞれ、内方固定フランジ４５ｂに係合して前方への移動規制を受けているので、第３外筒４５の前方への移動に応じた分だけ、圧縮ばね７５、８５の付勢力によってシャッタブロック５４に対して光軸前方に移動される。そして両レンズ群の離間距離が一定以上になると、第２遮光筒７７の外方フランジ７８が内方フランジ７６に係合して、第１遮光筒７２がそれ以上シャッタブロック５４から離反しないように最大離反位置が規制される。第３遮光筒８０に関しては、圧縮ばね８５が自由状態になった時点でシャッタブロック５４からの離間動作が停止される。その後は、シャッタブロック５４に対して第１レンズ群Ｌ１（第３外筒４５）が前方に移動するにつれ、第１レンズ群筒７１と第１遮光筒７２は、植毛摺接部７４で互いの隙間を遮光しつつ、互いの重畳量を小さくするように相対移動される。
【００４０】
図３に示すズームレンズ鏡筒１０のテレ端位置では、第１レンズ群Ｌ１と第２レンズ群Ｌ２の離間距離が最大となり、第２遮光筒７７の外方フランジ７８が内方フランジ７６に係合して、第１遮光筒７２がそれ以上シャッタブロック５４から離反しないように最大離反位置を規制している。このテレ端位置では、第１レンズ群筒７１と第１遮光筒７２の重畳量が最小となり、植毛摺接部７４は第１レンズ群筒７１後端付近の内周に接して該第１レンズ群筒７１と第１遮光筒７２の間を遮光している。また、第１遮光筒７２と第２遮光筒７７の重畳量も最小となり、シャッタブロック５４に対して前方に移動された第１遮光筒７２の後方は第２遮光筒７７が遮光している。よって、レンズ群Ｌ１、Ｌ２間の遮光性が確保されている。なお、第３遮光筒８０は、圧縮ばね８５が自由状態になるまで前方に移動されたとき、第１遮光筒７２の前方移動規制位置（シャッタブロック５４からの最大離反位置）よりも若干前方に位置される。この第３遮光筒８０の移動位置は、圧縮ばね８５の伸張量を変化させることで調整できるので、内方遮光フランジ８３などに関して最適の遮光性を発揮できる場所に位置させることは容易である。あるいは、第３遮光筒８０の移動位置は、何らかの機械的係止によって行ってもよい。
【００４１】
ズームレンズ鏡筒１０をテレ端から収納方向へ動作させると、まず第３外筒４５及びこれと一体の第１レンズ群筒７１が後方へ一定量移動した後、内方固定フランジ４５ｂが外方遮光フランジ８１に当接して、圧縮ばね８５を縮めながらシャッタブロック５４に接近する方向へ第３遮光筒８０を押し込む。第３遮光筒８０が押し込まれると、外方遮光フランジ８１が第１遮光筒７２の先端に係合して、第３遮光筒８０と共に、圧縮ばね７５を縮めながら第１遮光筒７２が後方に押し込まれる。第１レンズ群Ｌ１と第２レンズ群Ｌ２の間隔が最小となる鏡筒収納位置では、前述したように、遮光装置を構成する各遮光筒は、互いの重畳量を最大にし、遮光装置の光軸方向長が短くなる。
【００４２】
以上のようにレンズ群間の遮光装置を構成することにより、レンズ群の離間距離が大きい場合でも、第１レンズ群筒７１、第１遮光筒７２、第２遮光筒７７及び第３遮光筒８０に相当する部材があれば確実な遮光が可能であるから、徒に遮光環の段数を増やす必要がない。よって、遮光装置の径方向の大型化や、多段化による遮光性能の低下を防ぐことができる。特に、本遮光装置では、前後のレンズ群が離間したときに第１遮光筒７２と第３遮光筒８０に作用する移動力が、径方向のフランジの係合ではなく、ばね付勢によって付与されているため、前後レンズ群の相対移動時の各遮光筒７２、８０の追従性が良く、これらをガタなく移動させることができる。第１レンズ群筒７１と第１遮光筒７２の間は、植毛摺接部７４により高い遮光性が与えられるが、第１遮光筒７２はばね付勢されているため、この植毛摺接部７４に若干の摺動抵抗があっても、確実にシャッタブロック５４からの離間位置に移動できる。さらに、第１遮光筒７２と第２遮光筒７７より前部に位置する第３遮光筒８０が、各遮光部分の遮光性を高めると共に、光路周縁光を遮断している。これらの構造により、従来の遮光部材よりも良好な遮光性能を得ることができる。
【００４３】
なお、本実施形態では、第２、第３レンズ群Ｌ２、Ｌ３間に配されたバックラッシュ除去用の圧縮ばね５９は、圧縮ばね７５、８５よりも十分に大きい付勢力を有しており、この圧縮ばね７５、８５の付勢力や、第１レンズ群筒７１と第１遮光筒７２が相対移動したときの植毛摺接部７４における摺動抵抗によっては２群ユニット４８が移動されないように構成されている。
【００４４】
【発明の効果】
以上のように、本発明によれば、小型で、レンズ群間の確実な遮光が可能なレンズ鏡筒の遮光装置を得ることができる。
【図面の簡単な説明】
【図１】本発明の遮光装置を適用したズームレンズ鏡筒の収納状態における側断面図である。
【図２】図１のズームレンズ鏡筒のワイド端における側断面図である。
【図３】図１のズームレンズ鏡筒のテレ端における側断面図である。
【図４】本発明の遮光装置を適用したズームレンズ鏡筒の分解斜視図である。
【図５】従来の遮光装置を備えたズームレンズ鏡筒の一例を示す側断面図である。
【符号の説明】
１０  ズームレンズ鏡筒
１３  固定鏡筒
１６  ズームギヤ
１７  第１外筒
２０  第１直進案内環
３０  駆動カム環
３３  第２直進案内環
４０  第２外筒
４５  第３外筒
４５ｂ  内方固定フランジ
４７  １群レンズ枠
４８  ２群ユニット
４８ａ  ２群レンズ枠
４９  ３群ユニット
４９ａ  ３群支持環
５４  シャッタブロック（第２レンズ保持体）
５９  圧縮ばね
７１  第１レンズ群筒
７２  第１遮光筒
７４  植毛摺接部（遮光部材）
７５  ８５  圧縮ばね
７６  内方フランジ
７７  第２遮光筒
７８  外方フランジ
８０  第３遮光筒
８１  外方遮光フランジ
８２  外側筒状部
８３  内方遮光フランジ
８４  内側筒状部（ばね保持筒状部）
【図１】
0004094747.tif 000002
【図２】
0004094747.tif 000003
【図３】
0004094747.tif 000004
【図４】
0004094747.tif 000005
【図５】
0004094747.tif 000006